(57)【特許請求の範囲】
【請求項１】
各多岐管ブロックの一面にそれぞれ弁ステーションを備え、互いに接続された複数の多岐管ブロックを有する弁多岐管アセンブリであって、
電気的に作動する制御弁の第一セットと弁操作可能に接続される第一パイロット圧供給部と、
前記多岐管ブロック上の弁ステーションの第一セットに取り付けられた制御弁の前記第一セットと、
前記多岐管ブロック上の弁ステーションの前記第一セットにパイロット圧を供給するために前記第一パイロット圧供給部に弁操作可能に接続される第一パイロット圧経路と、
電気的に作動する制御弁の第二セットと弁操作可能に接続される第二パイロット圧供給部と、
前記多岐管ブロック上の弁ステーションの第二セットに取り付けられた制御弁の前記第二セットと、
前記多岐管ブロック上の弁ステーションの前記第二セットに区画されたパイロット圧を選択的に供給するためにパイロット供給弁に弁操作可能に接続される第二パイロット圧経路と、を備え、
もし制御弁の前記第二セットのパイロット圧が遮断された場合に、制御弁の前記第一セットが前記パイロット圧との接続を維持しながら、制御弁の前記第二セットが停止する
ことを特徴とする弁多岐管アセンブリ。
【請求項２】
前記第一パイロット圧経路が前記多岐管ブロックの１つの中で閉鎖部材によって前記第二パイロット圧経路と切り離されていることを特徴とする請求項１に記載の弁多岐管アセンブリ。
【請求項３】
前記閉鎖部材を内部に備える前記多岐管ブロックが少なくとも２つの弁ステーションを備え、１つの弁ステーションが弁ステーションの前記第一セットの一部であり、少なくとも第二の弁ステーションが弁ステーションの前記第二セットの一部であることを特徴とする請求項２に記載の弁多岐管アセンブリ。
【請求項４】
前記閉鎖部材が、前記第一パイロット圧経路と前記第二パイロット圧経路とを切り離す、パイロット穴に圧入された封止部材であることを特徴とする請求項３に記載の弁多岐管アセンブリ。
【請求項５】
前記多岐管ブロックの１つと前記制御弁の１つとの間に設けられたサンドイッチブロックをさらに備え、
前記サンドイッチブロックは前記パイロット供給弁から続くパイロット供給部と接続される外部コネクタを有し、
前記サンドイッチブロックは前記パイロット供給弁から前記制御弁の前記１つにパイロット圧を導入するために前記外部コネクタと流体接続されたポートを有している
ことを特徴とする請求項１に記載の弁多岐管アセンブリ。
【請求項６】
前記サンドイッチブロックはパイロット圧を前記第二パイロット圧経路に導入するために前記ポートから前記多岐管ブロックの前記１つへの経路を有していることを特徴とする請求項５に記載の弁多岐管アセンブリ。
【請求項７】
制御弁の前記第一セットが第一電源によって電気的に作動し、
制御弁の前記第二セットが第二電源によって電気的に作動する
ことを特徴とする請求項１に記載の弁多岐管アセンブリ。
【請求項８】
電磁弁で作動しパイロット圧で操作される制御弁と多岐管ブロックの間に設けられたサンドイッチブロックであって、
前記多岐管ブロックの外側にあるパイロット供給弁からのパイロット圧を受け入れる入口を備え、
前記入口が前記制御弁と弁操作可能に接続される出口への経路を有し、
前記パイロット供給弁が選択的にパイロット圧を前記制御弁に供給できる
ことを特徴とするサンドイッチブロック。
【請求項９】
互いに接続された複数の多岐管ブロックと、前記複数の多岐管ブロックに取り付けられた複数の制御弁を有し、前記制御弁は電気的に作動し、パイロット圧で操作される、弁多岐管システムにおける区画された流体制御システムであって、
前記複数の多岐管ブロックが、少なくとも互いに接続されていない第一区画と第二区画のそれぞれの第一及び第二個別パイロット圧経路を形成して、制御弁の第一セットと第二セットのそれぞれに独立して制御されるパイロット圧を供給し、
パイロット供給弁が、第一パイロット圧経路のパイロット圧に影響を与えることなく第二パイロット圧経路にパイロット圧を供給及び遮断し、それによって制御弁の第一セットと独立した個別区画としての制御弁の第二セットを停止する
ことを特徴とする区画された流体制御システム。
【請求項１０】
独立して電力を制御弁の前記第一セットと第二セットに供給する電気制御回路をさらに備え、
制御弁の前記第二セットを作動させるために、前記電気制御回路が前記第二セットに電力を供給することが必要であり、パイロット圧を前記個別区画の前記第二個別パイロット圧経路に供給するために、前記パイロット供給弁が開く必要があることを特徴とする請求項９に記載の区画された流体制御システム。
【請求項１１】
前記第一及び第二個別パイロット圧経路が前記多岐管ブロックを通して位置合わせされることを特徴とする請求項１０に記載の区画された流体制御システム。
【請求項１２】
区画の始まりのところの多岐管ブロックが電源と接続される外部接続金具を有し、
パイロット圧を前記パイロット供給弁から前記第二区画の前記第二個別パイロット圧経路に供給するために、前記多岐管ブロックとその上に取り付けられた制御弁との間に各サンドイッチブロックが設けられている
ことを特徴とする請求項１０に記載の区画された流体制御システム。
【請求項１３】
前記第一及び第二個別パイロット圧経路が前記多岐管ブロックを通して位置合わせされることを特徴とする請求項９に記載の区画された流体制御システム。
【請求項１４】
接続された弁多岐管ブロックの間に第一区画と第二区画を有する区画された流体制御のための弁多岐管ブロックであって、
複数の流体経路と、弁操作可能にそれぞれ取り付けられた第一と第二制御弁によって制御される第一と第二弁ステーションを形成するポートと、
前記弁多岐管ブロックの第一面から第二面へと貫通する回路基板経路と、
前記第一面と前記第二面のそれぞれの上に設けられたパイロット経路入口ポートとパイロット経路出口ポートと、を備え、
前記パイロット経路入口ポートは前記第一区画の一部であって、前記第二区画の一部である前記パイロット経路出口ポートとは操作可能に連通しておらず、
前記回路基板経路に収容され、前記第一面と第一電気接点に近接した第一端部と前記第二面と第二電気接点に近接した第二端部とを有して、別の下流の弁多岐管ブロックの別のプリント回路基板にある第一電気コネクタと接続する回路基板をさらに備え、
前記回路基板は前記第一端部に共通電圧コネクタ接点を有し、前記第一区画から電力を受け取る前記回路基板上の第一ジャンパ端子に繋がり、
前記弁多岐管ブロックは、区画された電源を前記回路基板上の第二ジャンパ端子及び第二端部の区画された共通電圧コネクタ接点と接続するための外部電気コネクタを有し、前記第二弁ステーションと電気的に接続して前記第二制御弁を駆動し、そして、
前記第一と第二ジャンパ端子が前記第一制御弁と電気的に接続された共通ジャンパ端子と接するように選択的に載置されて、前記第一制御弁が前記第一端部の前記共通電圧コネクタの前記第一区画からの電力又は前記外部電気コネクタからの前記区画された共通電圧コネクタからの前記第二区画の電源から電力供給される
ことを特徴とする弁多岐管ブロック。
【請求項１５】
前記第一と第二ジャンパ端子が、前記第一と第二ジャンパ端子のどちらかと共通のライン上に選択的に位置する二極シャントを備えた三ピンヘッダ上で前記共通ジャンパ端子と共に設けられていることを特徴とする請求項１４に記載の弁多岐管ブロック。
【請求項１６】
弁多岐管アセンブリのための多岐管ブロックであって、
制御弁を取り付けるための少なくとも１つの弁ステーションと、
前記多岐管を通してダクトに取り付けられた、第一電源を供給するための端部の第一回路と第二電源を供給するための第二回路とを有する回路基板と、
前記多岐管ブロックの一面に取り付けられた前記第二電源を前記第二回路に供給する電気コネクタと、を備え、
前記回路基板が、前記第一回路と前記第二回路のどちらが前記少なくとも１つの弁ステーションに電力を供給するかを選択的に制御するジャンパステーションを前記回路基板上に有していることを特徴とする多岐管ブロック。
【発明の詳細な説明】
【技術分野】
【０００１】
本発明は、多岐管アセンブリを備えた空気電磁弁制御システムに関するものである。
【背景技術】
【０００２】
産業上のオートメーションは、空気圧で多くの制御装置を制御する多岐管アセンブリを用いることで、非常に進歩した。多岐管アセンブリには、これらの制御装置を作動させるための空気圧の流れを制御する電気作動電磁弁が組み込まれている。これらの多岐管アセンブリは、一般的に複数の多岐管ブロックからモジュール形式で組み立てられる。多岐管アセンブリは、共通のパイロット圧経路と、それぞれの制御装置への主圧力の流れを順に制御する電磁弁と接続された主圧経路と、を有している。電磁弁作動制御弁は、主弁又はスプールと、パイロット圧を主弁に供給する電磁弁作動パイロット弁と、を有している。主弁を作動させるパイロット圧は周知である。もし電磁弁作動弁に接続されたパイロット圧が、主圧力から独立して供給された場合、パイロット圧が弁に供給され、かつ電磁弁が電気的に作動する時にのみ、電磁弁の主弁は作動できる。
【発明の概要】
【発明が解決しようとする課題】
【０００３】
これらの多岐管には、多くの弁ステーションと、多くの制御装置を順に制御する電磁弁と、を備えた多くの多岐管ブロックを組み込むことができる。多岐管アセンブリに接続されたすべての制御装置を停止することなく、１つ以上の制御装置を停止することが頻繁に望まれている。停止は、装置の日常保守に起因して、又は装置の予期しない異常や損傷を修理するために、発生する。個別に弁ステーションを制御しようとするこれまでの努力は、下流の装置を制御する個別の電磁弁への電力を遮断することで達成された。区画された電力の用途は、特定の区画内の装置群への電力を制御するために用いられてきて、他の区画の電力を止めることなく、その区画のみ電力が止められた。しかし、これらの電力の区画は、異なるパーツの数が増加すると、モジュール式アセンブリに複雑さをもたらした。
【０００４】
近年提案され実施されてきた異なるレベルの産業用アーキテクチャのためのガイドラインに、多岐管アセンブリは適応する必要がある。１つのガイドラインレベルは、装置の非作動時に、装置への空気圧の流れを止めるために、電磁弁を中間位置に移動させることを要求する。アーキテクチャの別のガイドラインレベルは、停止中の装置のすべての移動を検出し、さらに停止中の動作に対する警報を提供することを要求する。アーキテクチャのまた別のレベルは、空気が放出された際にバネ荷重ブレーキが作動して装置のさらなる動きを止めるように、バネ荷重ブレーキを設けることを要求する。
【０００５】
多岐管アセンブリは一般的に多岐管ブロックと電磁作動弁の間に設けられたサンドイッチブロックを有している。これらのサンドイッチブロックは、主圧力に対する遮断弁の提供や、単一の弁ステーションから主圧力を切り離し、又は、単一の弁ステーションの排気を多岐管から分離するために用いられてきた。
【０００６】
今望まれていることは、選択的に電磁作動弁のパイロット圧を除去し排出することで、電磁弁の不注意による作動を止めることによって、アーキテクチャに冗長性を提供することである。さらに望まれていることは、パイロット圧システムと電気回路システムの両方が、在庫部品数を著しく増加させる必要なしに、多岐管アセンブリを区画することである。またさらに望まれていることは、多岐管アセンブリが個別パイロット圧を多岐管ブロックと電磁作動弁の間に設けられたサンドイッチブロックを介して電磁作動弁の一区画に導入できることである。
【課題を解決するための手段】
【０００７】
本発明の1つの態様によれば、弁多岐管アセンブリは、各多岐管ブロックの一面にそれぞれ弁ステーションを備え、互い接続された複数の多岐管ブロックを有する。弁多岐管アセンブリは、電気的に作動し前記多岐管ブロック上の弁ステーションの第一セットに取り付けられた制御弁の第一セットと弁操作可能に接続された第一パイロット圧供給部を備える。第一パイロット圧経路が、前記多岐管ブロック上の弁ステーションの前記第一セットにパイロット圧を供給するために前記第一パイロット圧供給部に弁操作可能に接続されている。
【０００８】
第二パイロット圧供給部が、電気的に作動する制御弁の第二セットと弁操作可能に接続されている。制御弁の第二セットは、前記多岐管ブロック上の弁ステーションの第二セットに取り付けられている。第二パイロット圧経路は、前記多岐管ブロック上の弁ステーションの前記第二セットに区画されたパイロット圧を選択的に供給するためにパイロット供給弁に弁操作可能に接続され、もし制御弁の前記第二セットのパイロット圧が遮断された場合に、制御弁の前記第一セットが前記パイロット圧との接続を維持しながら、制御弁の前記第二セットが停止する。
【０００９】
好ましくは、前記第一パイロット圧経路が前記多岐管ブロックの１つの中で閉鎖部材によって前記第二パイロット圧経路と切り離されている。好ましくは、前記閉鎖部材を内部に備える前記多岐管ブロックが少なくとも２つの弁ステーションを備え、１つの弁ステーションが弁ステーションの前記第一セットの一部であり、少なくとも第二の弁ステーションが弁ステーションの前記第二セットの一部である。1つの実施例では、前記閉鎖部材が、前記第一パイロット圧経路と第二パイロット圧経路とを切り離す、パイロット穴に圧入された封止部材である。
【００１０】
サンドイッチブロックが、前記多岐管ブロックの１つと前記制御弁の１つとの間に設けられているのが望ましい。前記サンドイッチブロックは前記パイロット供給弁から続くパイロット供給部と接続可能な外部コネクタを有している。前記サンドイッチブロックは前記パイロット供給弁から前記制御弁の前一つにパイロット圧を導入するために前記外部コネクタと流体接続されたポートも有している。前記サンドイッチブロックはパイロット圧を前記第二パイロット圧経路に導入するために前記ポートから前記多岐管ブロックへの経路を有していることが望ましい。1つの実施例では、制御弁の前記第一セットが第一電源によって電気的に作動し、制御弁の前記第二セットが第二電源によって電気的に作動する。
【００１１】
本発明の別の態様によれば、サンドイッチブロックは多岐管ブロックと電磁弁で作動しパイロット圧で操作される制御弁との間に設けられている。サンドイッチブロックは前記多岐管ブロックの外側にあるパイロット供給弁からのパイロット圧を受け入れる入口を有する。前記入口が前記制御弁と弁操作可能に接続できる出口への経路を有し、前記パイロット供給弁が選択的にパイロット圧を前記制御弁に供給できる。
【００１２】
本発明の別の態様によれば、弁多岐管システムにおける区画された流体制御システムは、互いに接続された複数の多岐管ブロックと、前記複数の多岐管ブロックに取り付けられた複数の制御弁を有し、前記制御弁は電気的に作動し、パイロット圧で操作される。前記複数の多岐管ブロックが、少なくとも互いに接続されていない第一区画と第二区画のそれぞれの第一及び第二個別パイロット圧経路を形成して、制御弁の第一セットと第二セットのそれぞれに独立して制御されるパイロット圧を供給する。パイロット供給弁が、第一パイロット圧経路のパイロット圧に影響を与えることなく第二パイロット圧経路にパイロット圧を供給及び遮断し、それによって制御弁の第一セットと独立した個別区画としての制御弁の第二セットを停止する。
【００１３】
好ましくは、電気制御回路が独立して電力を制御弁の前記第一セットと第二セットに供給し、制御弁の前記第二セットを作動させるために、前記電気制御回路が前記第二セットに電力を供給することが必要であり、パイロット圧を前記個別区画の前記第二個別パイロット圧経路に供給するために、前記パイロット供給弁が開く必要がある。好ましくは、前記第一及び第二個別パイロット圧経路が前記多岐管ブロックを通して位置合わせされる。区画の始まりのところの多岐管ブロックが電源と接続される外部接続金具を有し、パイロット圧を前記パイロット供給弁から前記第二区画の前記第二個別パイロット圧経路に供給するために、前記多岐管ブロックとその上に取り付けられた制御弁との間に各サンドイッチブロックが設けられていることも望ましい。
【００１４】
本発明の別の態様によれば、区画された流体制御のための弁多岐管ブロックは、接続された多岐管ブロックの間に第一区画と第二区画を有する。前記弁多岐管ブロックは、複数の流体経路と、弁操作可能にそれぞれ取り付けられた第一と第二制御弁によって制御される第一と第二弁ステーションを形成するポートと、を有する。回路基板経路は、前記弁多岐管ブロックの第一面から第二面へと貫通する。パイロット経路入口ポートとパイロット経路出口ポートとは、前記第一面と前記第二面のそれぞれの上に設けられている。前記パイロット経路入口ポートは前記第一区画の一部であって、前記第二区画の一部である前記パイロット経路出口ポートとは操作可能に連通していない。回路基板は、前記回路基板経路に収容され、前記第一面と第一電気接点に近接した第一端部と前記第二面と第二電気接点に近接した第二端部とを有して、別の下流の弁多岐管ブロックの別のプリント回路基板にある第一電気コネクタと接続する。
【００１５】
前記回路基板は前記第一端部に共通電圧コネクタ接点を有し、前記第一区画から電力を受け取る前記回路基板上の第一ジャンパ端子に繋がる。前記弁多岐管ブロックは、区画された電源を前記回路基板上の第二ジャンパ端子及び第二端部の区画された共通電圧コネクタ接点と接続するための外部電気コネクタを有し、前記第二弁ステーションと電気的に接続して前記第二制御弁を駆動する。
【００１６】
前記第一と第二ジャンパ端子が前記第一制御弁と電気的に接続された共通ジャンパ端子と接するように選択的に載置されて、前記第一制御弁が前記第一端部の前記共通電圧コネクタの前記第一区画からの電力又は前記外部電気コネクタからの前記区画された共通電圧コネクタからの前記第二区画の電源から電力供給される。
【００１７】
前記第一と第二ジャンパ端子が、前記第一と第二ジャンパ端子のどちらかと共通のライン上に選択的に位置する二極シャントを備えた三ピンヘッダ上で前記共通ジャンパ端子と共に設けられている。
【００１８】
本発明の別の態様によれば、弁多岐管アセンブリのための多岐管ブロックは、制御弁を取り付けるための少なくとも１つの弁ステーションと、前記多岐管を通してダクトに取り付けられた回路基板と、を有する。前記回路基板は、第一電源を供給するための端部の第一回路と第二電源を供給するための第二回路とを有する。前記第二電源を前記第二回路に供給する電気コネクタが、前記多岐管ブロックの一面に取り付けられている。前記回路基板が、前記第一回路と前記第二回路のどちらが前記多岐管ブロックの前記少なくとも１つの弁ステーションに電力を供給するかを選択的に制御するジャンパステーションを前記回路基板上に有している。
【図面の簡単な説明】
【００１９】
【図１】本発明の一実施例に係る1つの配置の部分概略斜視図である。
【図２】区画された動力多岐管ブロックの部分分解図である。
【図３】図２の区画された動力多岐管ブロックの断面図である。
【図４】図１に示すサンドイッチブロックの拡大斜視図である。
【図５】図４の線５−５に沿った断面図である。
【図６】単一の弁ステーションに供給するように構成されたサンドイッチブロックの図５と類似の断面図である。
【図７】第一位置にあるシャントを備えた図２に示す回路基板の拡大図である。
【図８】第二位置にあるシャントを備えた図７と類似の図である。
【図９】配線状態を示す図７の回路基板の第一面の概略図である。
【図１０】配線状態を示す図７の回路基板の第二面の概略図である。
【図１１】図１に示す二重電磁弁ユニットの回路基板の第一端部と第二端部の概略端面図であって、回路基板の各回路の端子接続とシャントの第一位置と第二位置（点線で示す）の接続を示す。
【図１２】本発明の第二実施例を示す多岐管ブロックの斜視図である。
【図１３】外部パイロット供給ポートを備えた図１０に示す供給ステーションカバーの上部斜視図である。
【図１４】図１３に示す供給ステーションカバーの部分底面斜視図である。
【図１５】図１０に示す多岐管のための回路基板の第一面の拡大概略図である。
【図１６】図１５に示す回路基板の第二面の拡大概略図である。
【図１７】図１５に示す回路基板の第一端部と第二端部の概略端面図であって、回路基板の各回路の端子接続とシャントの第一位置と第二位置（点線で示す）の接続を示す。
【発明を実施するための形態】
【００２０】
次に図１〜３を参照して、流体制御システム１０は本来モジュール式であり、用途に応じて相互接続された複数の弁多岐管ブロック１２を有する。弁多岐管ブロック１２は例えば変形多岐管ブロック２０を第二区画１４、第三区画１８、その他連続した区画の先頭に備えた異なる区画１４、１６、及び１８とすることができる。図２に示すように、各多岐管ブロック２０は２つの制御弁３０を取り付けた２つの弁ステーション２６、２８を有する。各多岐管ブロック２０は、各区画に対して区画された電源を導入するための電気コネクタ２２を有している。各区画された電源は独立してオフできる。
【００２１】
図２、図３に示すように、各区画１６、１８の先頭の多岐管ブロック２０は、それぞれパイロット圧ポート３２、３４を備えた弁ステーション２６、２８を有しており、パイロット圧ポート３２、３４は電気的に作動しパイロット動作する標準制御弁３０の各電磁弁パイロット圧力チャンバ（図示せず）内のパイロットチャンバに接続されている。例えば、電磁弁の電気的な作動が制御弁３０内の内部パイロット弁を開放し、次にスプール弁の片側にパイロット圧を供給し、スプール弁を動かす。スプール弁は、多岐管ブロック２０内の各弁ステーション２６、２８の異なるポート３６間の流れを制御する。これらのポート３６は、他の多岐管ブロックの類似の横断ダクトと位置合わせされた横断ダクト４２に接続されている。これらのポート３６の幾つかは、下流のデバイス（図示せず）と接続されたターミナル４４とも接続されて、主圧力を両方のデバイスに供給し、主デバイスが多岐管ブロックを通して空気圧を排出できるようにする。
【００２２】
図２、図３に示すように、多岐管ブロック２０は、前の区画にある前の多岐管ブロック１２に接続された横断第一パイロット経路４６に接続されたパイロット圧ポート３２を有している。同様に、パイロット圧ポート３４は、次の区画にある下流の多岐管ブロック１２に接続された横断第二パイロット経路４８に接続されている。球状のプラグ５０が、パイロット経路４６をパイロット経路４８から切り離し封止するために圧入されている。
【００２３】
図１に示すように、パイロットサンドイッチブロック５２が多岐管ブロック２０と弁ステーション２８のところの制御弁３０との間に設けられている。図４、図５に示すパイロットサンドイッチブロック５２は、独立したパイロット圧を第二弁ステーション２８に供給するパイロット供給弁５６に弁操作可能に接続された外部パイロットポート５４を有している。パイロット供給弁５６は構造が従来型であり、パイロット圧を供給するオン又は開位置と、例えば排気位置であるオフとの間で独立に作動できる。パイロットサンドイッチブロック５２は、弁ステーション２８の制御弁３０に続くパイロット供給出口３８に接続されるポート５４を有している。図５に示すように、パイロットサンドイッチブロック５２は、第二区画の残りに供給するための多岐管ブロックの第二パイロット経路４８に続く弁ステーション２８上のパイロットポート３４に着座し、弁操作可能に接続された下側ポート３９と接続された貫通ダクト（trough duct）５８も有している。残りのポート５９は所望の方法で弁ステーション２８上のポート３６を制御弁と弁操作可能に接続している。
【００２４】
次に図６を参照して、もしパイロット圧を単一の弁ステーション２８上の制御弁３０にのみ供給したい場合、サンドイッチブロック５２は貫通ダクト５８を取り除くように変更される。この方法では、外部パイロット圧は単一の弁ステーション２８にのみ供給され、多岐管ブロックの第一パイロット経路４６又は第二パイロット経路４８のどちらかから切り離される。
【００２５】
次に図７〜１１を参照して、多岐管ブロック２０のための電気回路基板６０を説明する。回路基板６０は、基板の両面６３、６５上にトレース接点（trace contact）を備えた第一端部６２と第二端部６４とを有している。図１１に示すように、例えばA１〜A１９とB１〜B１９のようにA又はBにラベル付けされた項目は、各端部６２、６４での回路基板６０のそれぞれのサイドA,B上の接点及び配線を参照している。例えばV１、 V２等の接頭文字Vがラベル付けされた項目は、図示の回路基板６０から数えた回路が作動させる下流の弁番号を参照している。この回路基板６０上では、最初の４つの弁番号V１〜V４のみが多岐管ブロック２０の弁と接続されている。弁番号V５〜V３２の残りのセット６９は、第一端部６２のトレース接点６６から第二端部６４のトレース接点６６まで単に降りていく配線６８を有している。例えば第一端部６２の位置A5にあるV５は、それに続く基板（sequential board）の位置A４に接するV１に接続される第二端部６４の位置A４まで降りている。第二端部６４の上側接点位置A１９、B１９、A１８及びB１８は、回路基板上のどの導電ラインとも接続されていない。この具体的に図示した回路基板６０では、V３１はこの回路基板を用いた弁多岐管ブロックが最大３１電磁弁に制限されることを示している。より少ない又はより多い電磁弁に対する回路基板配線の他のレイアウトも可能である。
【００２６】
各回路基板はその上に取り付けられたピンコネクタセット７２、７３を有している。V１、V２に対応する接点A４とB４は、回路配線７５，７７を介してピンコネクタセット７２と操作可能に接続されている。ピンコネクタセット７２は、第一弁ステーション２６の制御弁３０と接続されている。ピンコネクタセット７２、７３は配線７９を通って接点Ａ２と接続された保護用接地線ＰＥとも接続されている。ピンコネクタセット７２は回路配線８１を通ってジャンパステーション７０の中間接点７６と接続されている。加えて、第一端部６２に接続されＶｃｏｍｎとラベル付けされた配線接点Ｂ３の１つが、回路配線８３を通って回路基板のジャンパステーション７０の接点８８とも接続されている。
【００２７】
電気コネクタ２２も接点８６で回路基板６０と接続されている。接点８６は回路配線８５を通してジャンパステーション７０の接点８４及びピンコネクタセット７３のピンと通じている。ピンコネクタセット７３は、弁ステーション２８の制御弁３０と接続されている。この方法では、電気コネクタ２２が第二区画の第二弁ステーション２８の制御弁３０に電力を供給する。ピンコネクタセット７３は、コネクタ２２を、回路配線８７を通して第二端部６４の外部Ｚｃｏｍｎトレース接点、Ａ３、及びＢ３と接続させて回路を終端させ、次の多岐管ブロック１２に電力を供給する。
【００２８】
シャント（短絡端子）８２は、図７に示すジャンパステーション７０の第一位置又は図８に示す第二位置に接続可能である。図７に示すように、シャント８２は接点８４と接点７６を繋ぐ。このようにして、ピンコネクタセット７３に電力を供給するだけでなく、電気コネクタ２２からの電力がピンコネクタセット７２にも流れる。この位置では、弁ステーション２６と２８は両方とも電気コネクタ２２から電力を供給され、同じ電力区画にある、又は同じ電源から電力を供給されていると言える。接点８８は開放され、実質的に配線８３を通るＶｃｏｍｎはこの構成のいずれとも接続されていない。
【００２９】
もし弁ステーション２６を手前の区画に置きたい場合、即ち異なる電源から電力供給したい場合、そして従って弁ステーション２８が連続区画の第一ステーションとなる場合には、シャント８２を図８の位置に移動して図１１の点線のように配線する。この位置では、配線８３を通るＶｃｏｍｎ端子Ａ３は、接点８６から接点７６に接続されて、ピンコネクタセット７２に電力が供給される。従って、弁ステーション２６は接点８８からＶｃｏｍｎによって電力が供給される一方で、第二弁ステーション２８は、ピンコネクタセット７３への回路配線８７を介して外部電気コネクタ２２によって依然電力供給される。電気コネクタ２２は、多岐管ブロック１２の下流のでき回路基板へ電力供給できる第二端部のＺｃｏｍｎ接点とまだ回路配線８７を通して動作可能に接続されている。弁ステーション２６は、弁ステーション２８とは独立した電力とパイロット圧を受ける。従って、下流の多岐管ブロック１２は、区画２にあり、別の区画が開始されるまで、同様に区画された電源と区画されたパイロット圧を受ける。
【００３０】
弁多岐管ブロックのある区画を停止する必要がある場合、即ち、弁ステーション２８を停止する必要がある場合、外部パイロット供給弁５６を停止することに加えて、電気コネクタ２２を通した電力を停止することができる。このように、残りの区画１、３の動作を維持しながら、区画２を停止することができる。これで明らかになったように、各区画は独立してオン／オフできる。例えば、両区画１、３をオンさせたまま、区画２をオフできる。各区画の制御弁３０は、パイロット供給弁５６からのパイロット圧が供給され、かつ、電気コネクタ２２からの電力が供給されない限り、動作しない。このように、停止区画の電力とパイロット圧の両方を停止することによって、区画の停止を確実にするための冗長性が導入される。
【００３１】
次に図１２〜１７を参照して、変形例の多岐管ブロック１２０は４つの弁ステーションを備え、そのうち弁ステーション１２６と１２８のみを示している。パイロット圧カバー板１５２が第一弁ステーションの上に取り付けられ、パイロット供給弁（図示せず）と接続するための外部パイロットポート１５４と、多岐管ブロックを通って横断パイロットダクト１４２と繋がるパイロット入口１４１に繋がる経路１５５と、を有している。カバー板１５７が第二弁ステーションの上に取り付けられて、弁ステーションを封止し、そして改良回路基板１６０が図示されている。
【００３２】
多岐管ブロック１２０はそれぞれの弁ステーションに対して外部電気コネクタ１２２と様々なポート１４０を有している。図示の弁ステーション１２６、１２８には制御弁３０を取り付けることができる。球状のパイロットプラグ１５０が横断パイロットダクト１４２の端部に圧入されて、弁区画の始まりを形成し、前の多岐管ブロックとそのパイロットダクト１４２からの連通を阻んでいる。電気コネクタ１２２は、先に記載した電気コネクタ２２と同様に取り付けられている。
【００３３】
制御回路基板１６０は回路基板６０と同様に段があり（stepped）、２つの弁ステーション１２６、１２８を二重電磁弁として機能させる。先に回路基板６０について記載したものと同等な配線、接点、及びジャンパには同じ参照符号を付し、基板６０と１６０の差異に関してのみ、以下で詳細に説明する。
【００３４】
端部６４の接点Ａ３、Ｂ３のところのＶｃｏｍｎは、配線１８３を通って接点８４のところでジャンパステーション７０と接続されている。ジャンパステーション７０の中間共通接点７６は、配線１８５を通ってピンコネクタセット７２、７３の両方に接続され、配線１８７を通ってＺｃｏｍｎ接点Ｂ３，Ａ３と接続されている。電気コネクタ１２２は端子１８６と接続され、配線１８９を通って接点８８のところでジャンパステーション７０と接続されている。
【００３５】
図１７に示すように、電気コネクタ１２２によって電源供給を希望する場合、シャント８２は右側の位置に移動して、ジャンパステーション７０のところで接点８８を接点７６と接続させる。この場合、ピンコネクタセット７２、７３の両方は端子１８６を通して電気コネクタ１２２からの電力を受け取る。他方では、もし弁ステーション１２６、１２８の両方がＶｃｏｍｎラインからの電力を受け取ることを希望する場合、シャント８２は左側の点線で示す位置になる。すると、ピンコネクタセット７２、７３の両方は端部６２のＶｃｏｍｎ接点Ａ３とＢ３を介して電力を受け取るようになる。この場合、回路基板１６０は多岐管ブロック１２０内の弁ステーション１２６、１２８に供給する電源の選択を提供する。
【００３６】
他の変形や変更も、添付の請求項で定義された本発明の範囲を逸脱することなく可能である。
【図１】
0006427604.tif 000002
【図２】
0006427604.tif 000003
【図３】
0006427604.tif 000004
【図４】
0006427604.tif 000005
【図５】
0006427604.tif 000006
【図６】
0006427604.tif 000007
【図７】
0006427604.tif 000008
【図８】
0006427604.tif 000009
【図９】
0006427604.tif 000010
【図１０】
0006427604.tif 000011
【図１１】
0006427604.tif 000012
【図１２】
0006427604.tif 000013
【図１３】
0006427604.tif 000014
【図１４】
0006427604.tif 000015
【図１５】
0006427604.tif 000016
【図１６】
0006427604.tif 000017
【図１７】
0006427604.tif 000018